(57)【特許請求の範囲】
【請求項１】
鉄骨等の部材を吊上げるワイヤーの先端に取付けるクリップであって、
上下一対の円盤状の上部板体と下部板体で構成され、上部板体と下部板体のそれぞれに、周縁から中心より少し奥までのびる細長いＵ字形で、その幅は吊りワイヤーの直径よりも少し大きく形成したワイヤーが貫通する切欠きを有し、上部板体と下部板体のいずれか一方の周縁に周壁を立ち上げ、さらに、下部板体の、上部板体との接合面となる上面に、上部板体を吸着するための吸着体として磁性体を貼着したことを特徴とする吊りワイヤー用のクリップ。
【請求項２】
鉄骨等の部材を吊上げるワイヤーの先端に取付けるクリップであって、
上下一対の円盤状の上部板体と下部板体で構成され、上部板体と下部板体のそれぞれに、周縁から中心より少し奥までのびる細長いＵ字形で、その幅は吊りワイヤーの直径よりも少し大きく形成したワイヤーが貫通する切欠きを有し、上部板体と下部板体のいずれか一方の周縁に周壁を立ち上げ、さらに、下部板体の、上部板体との接合面となる上面に、上部板体を吸着するための吸着体として磁性体を貼着したクリップを、上下の板体の切欠きが直交する位置関係となるように組み合わせて取付けることを特徴としたクリップを使用する鉄骨等の部材の吊上げ方法。
【発明の詳細な説明】
【技術分野】
【０００１】
本発明は、鉄骨造建物の改修・解体工事現場、鉄骨の建方工事現場で鉄骨等の部材を吊上げる際に使用する吊りワイヤーに取付けるクリップおよびこのクリップを使用する鉄骨等の部材の吊上げ方法に関するものである。
【背景技術】
【０００２】
例えば補強用の鉄骨梁を所定の躯体工事のなかで取付けるには、油圧または空圧式のジャッキで持ち上げるようにしている。しかし、このジャッキアップする方法では、重量が６００Ｋｇを超え、長さも８ｍもある鉄骨梁を持ち上げることになり、作業中に鉄骨梁が転倒する危険がある。
【０００３】
そこで、鉄骨梁を吊上げる方法が考えられ、上階スラブにチェーンブロックが通る孔を明け、この孔を使用して鉄骨梁の下フランジに吊りクランプを取付けチェーンブロックで吊上げるようにしている。
【０００４】
前記従来技術は、当業者間で一般的に行われているものであり、文献公知発明にかかるものではない。
【発明の開示】
【発明が解決しようとする課題】
【０００５】
前記チェーンブロックで吊上げる方法は、スラブに明ける孔が、チェーンブロックが通るほどの大きなものになり、作業性がよくない。
【０００６】
本発明は前記従来例の不都合を解消するものとして、鉄骨等の部材を吊上げて所定位置に取付ける場合に、上階のスラブに明ける孔を最小限の小さなものにでき、簡単にしかも安全に吊上げられる吊ワイヤー用のクリップおよびこのクリップを使用する鉄骨等の部材の吊上げ方法を提供するものである。
【課題を解決するための手段】
【０００７】
請求項１記載の発明は、鉄骨等の部材を吊上げるワイヤーの先端に取付けるクリップであって、上下一対の円盤状の上部板体と下部板体で構成され、上部板体と下部板体のそれぞれに、周縁から中心より少し奥までのびる細長いＵ字形で、その幅は吊りワイヤーの直径よりも少し大きく形成したワイヤーが貫通する切欠きを有し、上部板体と下部板体のいずれか一方の周縁に周壁を立ち上げ、さらに、下部板体の、上部板体との接合面となる上面に、上部板体を吸着するための吸着体として磁性体を貼着したことを要旨とするものである。
【０００８】
請求項１記載の本発明によれば、切欠きに吊りワイヤーを側方から挿入すれば、吊りワイヤーが板体を貫通する状態となり、クリップをワイヤーの先端に側方から容易に取付けることができる。
【０００９】
さらに、一方の板体の周囲から立ち上げたはずれ防止用の周壁の内側に他方の板体が入り込み、この状態で一対の板体が接合する。よって、他方の板体が一方の板体からずれて外れることがない。
【００１０】
また、一方の板体の、他方の板体との接合面に形成した例えば磁性体などを用いる吸着部により、他方の板体が一方の板体に吸着され、両板体の接合が確実になる。
【００１１】
請求項２記載の発明は、鉄骨等の部材を吊上げるワイヤーの先端に取付けるクリップであって、上下一対の円盤状の上部板体と下部板体で構成され、上部板体と下部板体のそれぞれに、周縁から中心より少し奥までのびる細長いＵ字形で、その幅は吊りワイヤーの直径よりも少し大きく形成したワイヤーが貫通する切欠きを有し、上部板体と下部板体のいずれか一方の周縁に周壁を立ち上げ、さらに、下部板体の、上部板体との接合面となる上面に、上部板体を吸着するための吸着体として磁性体を貼着したクリップを、上下の板体の切欠きが直交する位置関係となるように組み合わせて取付けることを要旨とするものである。
【００１２】
請求項２記載の本発明によれば、上下一対の板体は、それぞれに形成した切欠きが直交する位置関係で接合するから、この切欠きの組合せによって一つの閉塞された孔が中心に形成され、この孔にワイヤーが貫通することになる。よって、ワイヤーは、孔から外れることなく、クリップはワイヤーに確実に取付けられる。
【００１３】
そして、かかるクリップのワイヤーへの取付けは、上下の板体をそれぞれワイヤーに側方の異なる方向から差込むだけでよいから、容易に行える。
【発明の効果】
【００１４】
以上述べたように本発明の吊りワイヤー用のクリップおよびこのクリップを使用する鉄骨等の部材の吊上げ方法は、上階スラブに設置したチェーンブロックなどで鉄骨梁を吊上げて所定位置に取付ける場合に、下階に１本の吊りワイヤーを吊下げて、このワイヤーの先端に鉄骨梁等に固定されるクリップを取付けるだけでよいから、上階のスラブに明ける孔は１本のワイヤーが通れるだけの大きさでよく、孔を最小限の小さなものにでき、簡単な部材を使用してしかも安全に吊上げられるものである。
【発明を実施するための最良の形態】
【００１５】
以下、図面について本発明の実施形態を詳細に説明する。図１は本発明の吊りワイヤー用のクリップの分解斜視図で、クリップ３は、上階スラブに設置したチェーンブロックなどの吊上げ装置に取付けてある吊りワイヤー１で鉄骨梁２などの鉄骨部材を所定位置に吊上げるため、吊りワイヤー１の先端に取付けるものである。
【００１６】
本発明のクリップは、図１に示すように上下一対の円盤状の上部板体３ａと下部板体３ｂで構成され、上部板体３ａと下部板体３ｂのそれぞれに、周縁から中心より少し奥までのびる細長いＵ字形の切欠き４ａ、４ｂを形成した。この切欠き４ａ、４ｂの幅は吊りワイヤー１の直径よりも少し大きく形成する。
【００１７】
一方、例えば下部板体３ｂの周縁に、上部板体３ａの厚みよりも少し高い周壁５を立ち上げる。この周壁５は、上部板体３ａと接合した状態で、上部板体３ａが水平方向にずれることを防止するためのはずれ防止用のものである。
【００１８】
さらに、下部板体３ｂの、上部板体３ａとの接合面となる上面に、上部板体３ａを吸着するための吸着体として磁性体６を貼着する。
【００１９】
次にかかるクリップ３を鉄骨梁２に取付けて、吊上げる方法を説明する。上階スラブに吊りワイヤー１が通るだけの直径、例えば５０ｍｍ程度の孔を明ける。吊りワイヤー１は、図４に示すように例えば２７００ｍｍ程度の長さで、先端に円筒状の抜け防止部材８が取付けてある。
【００２０】
この吊りワイヤー１を上階スラブに穿設した孔から下階に吊下し、さらに、吊上げようとする鉄骨梁２の上部フランジ２ａに穿設した孔７を通して先端を吊下げ、吊りワイヤー１の先端にクリップ３を取付ける。取付方法は、まず、下部板体３ｂに形成してある切欠き４ｂに吊りワイヤー１を側方から挿入する。
【００２１】
次いで前記切欠き４ｂの長さ方向と直交する方向に、上部板体３ａの切欠き４ａの長さ方向を向けて、上部板体３ａの切欠き４ａに吊りワイヤー１を側方から挿入し、上部板体３ａを下部板体３ｂの上に重ね合わせる。
【００２２】
この状態で上部板体３ａと下部板体３ｂとは図２に示すように、それぞれの切欠き４ａ、４ｂが直交関係となるから、両切欠き４ａ、４ｂが交差する箇所で丸い孔９が形成され、この孔９に吊りワイヤー１が貫通することになる。そして、この孔９は閉鎖されているから、孔９から吊りワイヤー１が抜けることはない。
【００２３】
また、上部板体３ａと下部板体３ｂとは、上部板体３ａが下部板体３ｂの周壁５の内側に嵌合するとともに、上部板体３ａが下部板体３ｂの上面に形成した磁性体６に吸着されるから、上部板体３ａが下部板体３ｂから外れることはなく、上部板体３ａと下部板体３ｂとは確実に一体的に結合される。
【００２４】
このようにしてクリップ３により吊りワイヤー１の下端を鉄骨梁２の上部フランジ２ａに取付け固定したならば、上階の吊上げ作業員と無線で連絡をとりながら、吊りワイヤー１を吊上げて鉄骨梁２を吊上げ、所定位置に取付ける（図３参照）。
【００２５】
鉄骨梁２を取付けた後は、上部板体３ａと下部板体３ｂとを上下に分離して、それぞれを切欠き４ａ、４ｂを介して水平方向に移動すれば、吊りワイヤー１からクリップ３を簡単に外せる。
【図面の簡単な説明】
【００２６】
【図１】本発明の吊りワイヤー用のクリップおよび吊りワイヤーの吊上げ方法の実施形態を示す分解斜視図である。
【図２】本発明の吊りワイヤー用のクリップの実施形態を示す組み合わせた状態の斜視図である。
【図３】本発明のクリップを取付けた吊りワイヤーで鉄骨梁を吊上げている状態の斜視図である。
【図４】本発明のクリップが取付けられる吊りワイヤーの正面図である。
【符号の説明】
【００２７】
１  吊りワイヤー                ２  鉄骨梁
２ａ  上フランジ                ３  クリップ
３ａ  上部板体                  ３ｂ  下部板体
４ａ、４ｂ  切欠き              ５  周壁
６  磁性体                      ７  孔
８  抜け防止部材                ９  孔
【図１】
0005307367.tif 000002
【図２】
0005307367.tif 000003
【図３】
0005307367.tif 000004
【図４】
0005307367.tif 000005